(57)【要約】本発明は、移動可能な家具部分を引き込む装置に関し、特にスライドするドアを中間位置に引き込む装置に関する。装置は、装置のハウジング(10)内を側方に移動するように案内されるキャリア(20)、キャリアに連結されて側方に移動するように案内される中間スライド(30)を備える。装置はまた、側方に移動するように案内され、移動方向Ｘに距離を置いて配置された２つの側部スライド(40、50)を有し、側部スライド(40、50)はエネルギ蓄積アセンブリ(70)によって互いに結合され、該エネルギ蓄積アセンブリ(70)によって側部スライド(40、50)の一方から他方の方向に力が作用する。各側部スライド(40、50)について、各制御スライダ(400、500)が配備される。中間スライド(30)が中間位置から外に動くときは、中間スライド(30)が動く方向の特定の側部スライド(40、50)は、制御スライダ(400、500)によって中間スライド(30)に連結され、然るに他の側部スライド(40、50)は、ハウジング10に固定される。【選択図】  図１
2014527438.tif 000002
【特許請求の範囲】
【請求項１】
移動可能な家具部分を引き込む装置(1)、特にスライドするドアを中間位置に引き込む装置(1)であって、
該装置(1)のハウジング(10)内にて変位可能に案内されるキャリア(20)と、該キャリアに連結され、変位可能に案内される中間スライド(30)と、
Ｘ方向に互いに離間し、エネルギ蓄積アセンブリ(70)によって互いに連結された２つの変位可能に案内された側部スライド(40、50)であって、エネルギ蓄積アセンブリの力は一方の側部スライド(40、50)から、他方の側部スライド(40、50)の方向に作用する側部スライド(40、50)とを備え、
各側部スライド(40、50)に１つの制御スライダ(400、500)が配備され、該制御スライダによって、一方の側部スライド(40、50)は中間スライド(30)が側部スライド(40、50)の方向に中間位置から動く場合に中間スライド(30)に一時的に連結され、然るに他方の側部スライド(40、50)は一時的にハウジング(10)に固定される装置(1)。
【請求項２】
前記側部スライド(40、50)は減衰装置(60)によって互いに連結され、該減衰デバイスによって、側部スライド(40、50)の互いに向かう動きは減衰される、請求項１に記載の装置(1)。
【請求項３】
前記制御スライダ(400、500)は、前記側部スライド(40、50)の制御スライダ案内スロット(42,52)内を移動方向Ｘに直交する方向に夫々案内され、夫々が連結ピン(401、501)を備えて中間スライド(30)の連結スロット(35、36)と係合して中間スライド(30)と各前記側部スライド(40、50)を連結し、ガイドピン(402、502)を夫々備えて、前記ハウジング(10)の制御トラック(15、16)と夫々係合する、請求項１又は２に記載の装置。
【請求項４】
前記制御トラック(15、16)は、移動方向Ｘとは逆に延びた少なくとも１つの部分を備えた、請求項３に記載の装置。
【請求項５】
前記連結スロット(35、36)は移動方向Ｘに対して斜めに延びた少なくとも１つの部分(37a、38a、37b、38b)を備えている、請求項２乃至４の何れかに記載の装置。
【請求項６】
前記キャリア(20)は、中間位置から離れた２つの外側開位置の１つにて前記ハウジング(10)に固定された、請求項１乃至５の何れかに記載の装置。
【請求項７】
前記キャリア(20)は、前記ドア金具(2)の駆動体(4)の周りに係合するように構成された２つの側部爪(22、23)を備えている、請求項１乃至６の何れかに記載の装置。
【請求項８】
前記キャリア(20)は前記ハウジング(10)の案内路(11、12)にて案内され、少なくとも１つの案内路(12)は外側領域に曲がり、中間位置にて前記キャリア(20)に囲まれる前記駆動体(4)は、前記キャリア(20)が案内路(12)の外側領域の２つの開位置の１つに配置されたときに開放される、請求項７に記載の装置。
【請求項９】
前記側部爪(22、23)は前記キャリア(20)の中間部分に回転可能に連結され、曲がった案内路(12)内をガイドピンにて案内され、１つの開位置にて、各側部爪(22、23)は前記キャリア(20)の中間部分(21)に回転可能に設けられた、請求項８に記載の装置。
【請求項１０】
前記側部スライド(40、50)は減衰装置(60)に接続するためのレシーバ(43、53)を備えている、請求項１乃至９の何れかに記載の装置。
【請求項１１】
各前記側部スライド(40、50)は、エネルギ蓄積アセンブリ(70)と協働する１つのラック歯(44、54)を備える、請求項１乃至１０の何れかに記載の装置。
【請求項１２】
前記エネルギ蓄積アセンブリ(70)は、２つの巻き取り装置(72、74)と両装置間に配置されたバネ(71)を備える、請求項１１に記載の装置。
【発明の詳細な説明】
【技術分野】
【０００１】
本発明は、移動可能な家具部分を引き込む装置に関し、特にスライドするドアを中間位置に引き込む装置に関する。
【背景技術】
【０００２】
例えば、引き出し又は家具ドアを所定位置から閉位置に自動的に引き込むべく、家具の分野にて引き込み装置が種々の変形例にて用いられている。スライドドアが閉位置から２つの方向、大方は反対方向に開くように、スライドドアを備えた家具の部分(items)に部分的に設けられる。そのような場合において、閉位置は中間位置として知られている。例えば、開いている家具を閉じるのに、２つ以上のスライドドアが設けられていれば、内側のスライドドアが移動する可能性は有利である。
【０００３】
２つの方向から、減衰する方法で中間位置に自動的に引き込むことを可能にすべく、特許文献１の明細書から双方向引き込み装置が公知である。該装置にて反対方向に作動する２つの一方向引き込みデバイスが、長手方向に延び、傾き可能に案内される連結側部と協働する。中間位置からスライドドアが移動する際に、連結側部はスライドドア上の各キャリア突起を介して各開き方向に動かされ、移動方向に依存して２つの一方向引き込みデバイスの１つと協働する。開き方向の移動の結果、各引き込みデバイスの引き込みバネは、その上に前記連結側部が作動する引き出しデバイスのキャリアがロック位置に傾く地点にまで張力を架けられる。この過程において、前記連結側部の引き込みデバイスへの連結は解除される。各開き方向にドアが更に移動する際には、引き込み装置内の傾いた案内の結果、連結要素はスライドドアの搬送突起から更に離れるように移動し、このようにして、スライドドアから切り離される。ドアは更に自由な方法で動かされる。中間位置から戻る方向のドアの閉じ動作の際に、第２のキャリア突起を有するスライドドアが連結側部の各連結要素と対向して、閉じ方向に引っ張る。連結側部は張力を架けられた装置のロックされたキャリアと係合して、ロックから開放される。引き込み装置はこのようにトリガされて、減衰要素を用いることによって、連結側部は引き込みバネを介して中間位置に減衰する方法で引かれる。中間位置から反対方向にスライドドアが移動する際に、各他の一方向引き込みデバイスを用いることによって、同じ過程が鏡面反転した方法で生じる。
【先行技術文献】
【特許文献】
【０００４】
【特許文献１】ドイツ実用新案公開公報202010007230号
【発明の概要】
【発明が解決しようとする課題】
【０００５】
一方向に作動する２つの別個の引き込みデバイスを用いることは、記載した双方向引き込みデバイスには不利である。２つの別個の引き込みデバイスを用いることは、別個のロック機構が機械的に複雑であり、とりわけ付随的に用いられる減衰要素故に、コストがかかる。
従って、本発明の目的は、一方向に作動する別個の引き込み装置を使用することなく、移動可能な家具部分を両側から中間位置に引き込む装置を付与することである。
【課題を解決するための手段】
【０００６】
この目的は、請求項１の特徴を備えた引き込み装置によって達成される。
上記の発明に従った装置は、装置のハウジング内を側方に移動可能なように案内されるキャリアと、該キャリアに連結されて側方に移動可能に案内される中間スライドを備える。装置は更に、側方に移動可能な方法で案内され、互いに動作方向に少し距離をおいて配列された２つの側部スライドを備え、該側部スライドはエネルギ蓄積アセンブリによって互いに連結され、該エネルギ蓄積アセンブリによって力が側部スライドに発揮されて、側部スライドは互いに作用する。各側部スライドに制御スライダが配備され、該制御スライダによって中間スライドが中間位置から移動時に、中間スライドが移動する方向の側部スライドは中間スライドに連結し、然るに他方の側部スライドはハウジングに固定される。
【０００７】
中間スライドを２つの側部スライドの１つに連結することは、制御スライダによって達成され、これは中間スライド、キャリアひいては移動可能な家具の部分の移動方向に依存する。他方では他方の側部スライドは、ハウジングに固定される。これは家具の部分が中間位置から移動時に、２つの側部スライドの距離が互いに増加することに繋がり、これは移動方向に関係なく生じる。側部スライド間に配備されたエネルギ蓄積アセンブリは、移動の各方向において動的となる。
従って、本発明に従った引き込み装置は、１つのエネルギ蓄積アセンブリとともにのみ配備される。
【０００８】
装置の有利な実施形態に従って、側部スライドは更に減衰装置によって互いに連結され、該減衰装置によって側部スライドの互いの動きは減衰される。これにより、自動的に引き込む際に、更に減衰機能を付与し、これは１つだけの減衰装置を用いて達成される。
【０００９】
装置の更に有利な実施形態に従って、制御スライダは夫々側部スライドの制御スライダ案内スロット内を、移動方向Ｘとは逆方向に案内されて、夫々が連結ピンを備えて、該連結ピンを用いて制御スライダは中間スライドの連結スロットに係合して中間スライドを各側部スライドに連結する。各制御スライダは案内ピンを備えて各制御スライダはハウジングの制御経路に係合する。その結果、制御スライダの動きは簡単且つ信頼性のある方法で側部スライドの位置に連結され、このように、中間スライドと側部スライドの間の連結の制御を確実にすることに繋がる。
【００１０】
特に好ましい方法において、連結スロットは移動方向に対して斜めに延びる少なくとも１つの部分を備える。これは制御スライダのスムーズで、誤作動のない作動に貢献する。
装置の更に有利な実施形態に従って、キャリアは中間位置から離れた２つの外側開口位置の１つにてハウジングに固定される。中間スライド及びともに移動する各側部スライドの固定は、キャリアをハウジングに固定することにより達成され、その配置は中間位置への引き込み工程がトリガされるまで開位置に維持される。
【００１１】
装置の更に有利な実施形態に従って、キャリアは２つの側部爪を備え、該側部爪はドア嵌合具の駆動体の回りに係合するように配置されている。キャリアはハウジングの案内路内を特に好ましい方法で案内され、少なくとも１つの案内路は外側領域に曲げられて、中間位置にてキャリアに囲まれる駆動体は、キャリアが案内路の外側領域にて２つの開位置の１つに位置する時、開放される。
移動可能な家具の部分、例えば引き戸への装置の簡単な連結は、この方法で達成される。１つの駆動体のみが家具の部分に固定される必要があり、該駆動体によって家具の部分は中間位置と開位置の間にて引き込み装置に連結される。
【００１２】
装置の更に有利な実施形態に従って、側部爪はキャリアの中間部に回転可能に接続され、ガイドピンによって曲がった(bent-off)案内路を案内され、１つの側部爪は１つの開位置にてキャリアの中間部に対して回転可能に設けられる。この構成により、キャリアへの又はキャリアからの明確な連結と非連結が提示される。
【図面の簡単な説明】
【００１３】
更なる有利な実施形態及び更なる応用例は、従属請求項の主題事項である。本発明は以下の図面を参照することによって、より詳細に説明される。
【図１Ａ】開いたハウジングが中間位置にある引き込み装置の平面図である。
【図１Ｂ】覆われた直線が部分的に視覚化された図１Ａの引き込み装置である。
【図２Ａ】第１の開位置にある図１Ａの引き込み装置である。
【図２Ｂ】覆われた直線が部分的に視覚化された図２Ａの引き込み装置である。
【図３Ａ】第２の開位置にある図１Ａの引き込み装置である。
【図３Ｂ】覆われた直線が部分的に視覚化された図３Ａの引き込み装置である。
【図４】取り付けの中間段階にある図１Ａの引き込み装置である。
【図５】更に取り付けの中間段階にある図１Ａの引き込み装置である。
【図６Ａ】別の実施形態において、開いたハウジングを伴った引き込み装置の別の位置の平面図である。
【図６Ｂ】別の実施形態において、開いたハウジングを伴った引き込み装置の別の位置の平面図である。
【図６Ｃ】別の実施形態において、開いたハウジングを伴った引き込み装置の別の位置の平面図である。
【発明を実施するための形態】
【００１４】
本発明に従った引き込み装置の実施形態が別々の開き位置にて示されて、以下の図面にてより詳細に記載される。図面にて同じ符号は同じ要素を規定する。説明の明瞭化の目的から、幾つかの要素は図面内で符号を付与していない。
【００１５】
図１乃至図３は、別々の位置における引き込み装置を示し、覆われた線は各図のＡでは見えないが、図のＢでは覆われた線は点線として部分的に示される。図４及び図５は、図１Ａの位置における図に対応し、引き込み装置の種々の要素はその下に位置する要素を許容すべく、図４及び図５に示されていない。この点において、図４及び図５は取り付け時における中間段階の引き込み装置を表す。引き込み装置の構成を見通すべく、全ての図面において、引き込み装置の上ハウジングカバーを省略する。
【００１６】
以下の図面の記載において、上、下、左、右、前、後等の語は、専ら図面内で選択された実施形態の説明に関する。これらの語は限定するものとは理解されず、各図面の文脈内にて解釈される。
【００１７】
図面は、ドア金具２と協働する引き込み装置１を示している(図１参照)。引き込み装置１は、装置１として以下に略して示される。例えば締結プラグ３が、引き戸の各穿孔又は引き戸の走行部分内に導入される等によって、ドア金具２は移動可能な引き戸(図示せず)に直接又は間接に固定される。ドア金具２は下端にピン状の駆動体４を備え、該駆動体は引き込み装置１と相互作用する。引き戸は図面の面に対して左右に移動可能に取り付けられる。引き戸用のガイドレールも、示されていない。引き戸の移動方向はＸ方向と言及され、右方への移動はＸの正の値の方向を意味し、左方への移動はＸの負の値の方向を意味する。ともに移動するドア金具２の場合は、装置１は例えば、家具本体上、家具本体上に配置されたガイドレール、又は家具本体上に配置された端部ストッパーに直接的又は間接的に固定して取り付けられている。このことは、逆に駆動体も家具本体上に固定して配置され得て、装置１は引き戸に固定され得て、側方に共に動くことに留意すべきである。ここに例示された固定されることが想定される装置１のときも、こうした方法で同じ機能に到達する。
【００１８】
装置１はハウジング１０を備え、この場合、その下蓋部だけが示されている。これはハウジング上蓋部(図示せず)のようにハウジングと一体であるのが好ましく、例えばプラスチック射出成型工程で生産される。補強のためにハウジング１０にウエブ１７（図４参照）が配置され得て、これはさらに埃除けや目隠しにもなる。
装置１は一部がハウジング１０から突き出たキャリア２０を備え、該キャリアはドア金具２の駆動体４と協働する。キャリアは中間部分２１があり、この中間部分２１に連結された側部爪２２、２３がある。ハウジング１０には直線状のガイドレール１１が配置され、該ガイドレールに沿って中間部分２１が動くことができ、また共にキャリア２０が側方に動くことができる。図示されたケースでは、中間部分２１は直線状のガイドレール１１内にある２つのガイドピンに係合している。ガイドピンは連結された爪２２、２３の回転軸ともなる。各爪２２、２３には、連結点から離れて更なるガイドピンが挿入され、該更なるガイドピンはハウジング１０の案内路１２と協働し、該案内路１２は端部が曲がり中間部は直線路に構成されている。キャリア２０は図面で示されたのとは異なる方法で配置されることも理解されるだろう。例えば、ガイドピンは他の形状、数及び/又はキャリア２０上の位置でも配置され得る。図１に示すように、爪２２、２３は中間位置にてドア金具の駆動体４を囲む。キャリア２０の側方移動において、このような方法で形作られ駆動体４を囲んでいる開口部の形は、最初は変化しない。上記爪２２、２３のガイドピンが案内路１２の曲がった領域にスライドしたときにのみ、各爪２２、２３が片側へ傾き、駆動体４が各方向へ開放される程度に開口部が開かれる。これは図２Ａ及び図２Ｂにおいては右方への動き、図３Ａ及び図３Ｂにおいては左方への動きとして示される。
【００１９】
更に装置１は側方に可動に案内された３つのスライドを備え、それらは即ち中間スライド３０、左側スライド４０、右側スライド５０である。前記３つのスライド３０、４０、５０の側方案内用に直線状のスライド案内路１３がハウジング１０内に配置されている。中央のハウジングドーム１４は案内目的であり、更にハウジング１０のハウジング半体を接続するネジを受け入れるのに用いられている。
【００２０】
スライド３０、４０、５０は互いに別個の平行面に配置されている。上記側部スライド４０、５０はハウジングの下蓋に直接載置されており、スライド案内路１３に案内される。側部スライド４０、５０は故に第１面内に配置されている。これは中間スライド３０を取り除いた装置１を示す図４に詳細に示されている。中間スライド３０は部分的に側部スライド４０、５０と重なって第２面内に配置されている。中間スライド３０はハウジングドーム１４によってガイドスロット３１で案内され、輪郭３２で側部スライド４０、５０に夫々配置された輪郭４１、５１上を案内される。スライド３０、４０、５０の側方への案内は、ハウジングの上蓋の各案内路によって実現され得る。
【００２１】
中間スライド３０の側方移動は、左右のロックスロット３３、３４によってキャリア２０の側方移動に連結され、該ロックスロット３３、３４は図面の頂部の中間スライド３０の部分、及びキャリア２０のガイドピンがある外側の側壁に配置されている。図２Ａ、図２Ｂ及び図３Ａ、図３Ｂに示す様に、ガイドピンは案内路１２の曲げ部分を移動時に、キャリア２０の側方移動の端部にてロックスロット３３、３４の底部に入り(plunge into)、それによってキャリア２０及び中間スライド３０は側方移動がハウジング１０内で固定される。駆動体４の開放後、図２Ａ、図２Ｂ及び図３Ａ、図３Ｂに示す様に、キャリア２０及び中間スライド３０は左側又は右側の開位置に留まる。キャリア２０及び中間スライド３０のハウジング１０への固定は、駆動体４の戻り移動時に、開いた爪２２、２３は曲がった案内路１２に沿って再び持ち上げられ、キャリア２０の開口が閉じられる時にのみ開放される。
【００２２】
側部スライド４０、５０は、側方への移動方向Ｘに垂直に延びた制御スライダガイドスロット４２、５２を備え、該スロット内で制御スライダ４００又は５００がＹ方向に往復動することができる（特に図４参照）。上記制御スライダ４００、５００は中間スライド３０を左側スライド４０もしくは右側スライド５０とに連結させるのに用いられる。この目的のために、制御スライダ４００、５００は夫々図平面から中間スライド３０に向かう方向に突出する連結ピン４０１もしくは５０１を備えている。
これらの連結ピン４０１、５０１は、Ｙ方向の各制御スライダ４００、５００の位置により、夫々中間スライド３０の左側又は右側の領域に配備された連結スロット３５、３６と相互作用する。制御スライダ４００、５００を動かすべく、制御スライダは更にハウジング１０の底蓋部に対向するガイドピン４０２、５０２を備えている。制御スライダはハウジング１０に配置された左側又は右側制御トラック１５、１６に案内される。制御トラック１５、１６は装置１の中央に対向する部分にて曲がる。その結果、一方では側部スライド４０、５０の中央への横の動きは制限される。他方では各側部スライド４０、５０が内側の停止位置、即ち右側の側部スライド５０の左側停止位置、又は左側の側部スライド４０の右側停止位置に位置しているとき、各制御スライダ４００、５００は下向きにスライドし、即ちＹの負の方向にキャリア２０から離れる。中間スライド３０の連結スロット３５、３６は下向きに開き、即ちキャリア２０から離れて対向しているから、キャリア２０に向かって押される制御スライダ４００、５００は、中間スライド３０を側部スライド４０、５０の左側又は右側に連結することに繋がり、制御スライダ４００、５００から離れるように押されたキャリア２０は、中間スライド３０と各側部スライド４０又は５０の連結を開放することに繋がる。
【００２３】
図１に示すように、引き戸の中間位置から右方への移動時に、左側の側部スライド４０はＹの負の方向に下向きに押される制御スライダ４００によってハウジング１０上の右内側停止位置に固定され、中間スライド３０から分離される。制御スライダ４００の制御トラック１５の曲げ領域への変位は、ロックスロット３５の斜めに延びた上部３７bに支持される。他方の右側の側部スライド５０は、右側の制御スライダ５００によって中間スライド３０に連結され、図２に示すように、該制御スライダ５００は連結スロット３６内を正のＹ方向に押し上げられ、同様に右に動く。制御スライダ５００の連結スロット３６内への挿入は、該連結スロット３６の斜めに延びる底部３８aに支持される。開位置として知られる右側停止位置にて、各ガイドピンが案内路１２の曲げ領域内に挿入されるとき、キャリア２０の口は右側の側部爪２３の移動によって開かれる。
【００２４】
図３Ａ及び図３Ｂに示すように、右側の側部スライド５０は、図１Ａ及び図１Ｂに示す駆動体４の中間位置から左への移動時に、鏡転する方法で、左側の停止位置に固定され、中間スライド３０から離される。然るに、中間スライド３０に連結された左側の側部スライド４０は、曲がった案内路１２によって案内される左側の側部爪２２がキャリア２０の開口を開き、同時にキャリア２０と中間スライド３０と左側の側部スライド４０が示された左端位置に固定されるまで、上向きに押される制御スライダ４００によって左に動かされる。制御スライダ５００が制御トラック１６の曲げ領域に変位することは、ロックスロット３６の斜めに延びる底部３８bによって支持される。制御スライダ４００のロックスロット３５への挿入は、ロックスロット３５の斜めに延びる底部３７aによって支持される。
【００２５】
従って、側部スライド４０、５０は、キャリア２０従って引き戸が中間位置にあるとき(図１、図４参照)、互いに最小の距離を有する。各側部スライド４０、５０の距離は、この中間位置から引き戸又はキャリア２０の移動時は、この移動が生じる開方向に拘らず、増加する。
【００２６】
側部スライド４０、５０は一方では減衰装置６０を介して互いに連結され、他方では機械的なエネルギ蓄積アセンブリ７０を介して互いに連結されている。この目的から、側部スライド４０、５０は、各内側領域にて減衰装置６０の端部を受け入れるレシーバ４３、５３を備えている。減衰装置６０は少なくとも１つのシリンダ６２とピストンロッド６１(図５参照)を含み、１つのレシーバ、例えばこの場合左側の側部スライド４０のレシーバ４３はピストンロッド６１のヘッドに係るように構成され、他のレシーバ、例えばこの場合右側の側部スライド５０のレシーバ５３は、減衰装置６０のシリンダ６２を各側部スライド５０に接続するように構成される。減衰装置６０はシリンダ６２からピストンロッド６１の引き込みができるだけ小さな力で可能なような公知の方法で構成され、然るにシリンダ６２内へピストンロッド６１を押すことは減衰されるように生じる。これは、中間位置からの引き戸の動きは、移動方向に拘らず、減衰されない方法で生じ、然るに中間位置への移動は減衰される方法で生じる引き戸の移動を意味する。両方の移動を減衰された方法で実行し、付随的に異なる程度で実行することも可能であることが理解されるだろう。
【００２７】
更に、側部スライド４０、５０はエネルギ蓄積アセンブリ７０を介して互いに接続される。最も簡単な場合において、側部スライド４０、５０に直接接続されるバネが、エネルギ蓄積アセンブリ７０として用いられ得る。バネは２つの側部スライド４０を互いに向けて引き、特に側部に配置された側部スライド４０、５０は他方に固定された側部スライド５０、４０を引き、引き戸が中間位置を越えて両側の１つに動かされるときは、張力を与え、又は初期張力に対して更に張力を与える。前記のキャリア２０、中間スライド３０及び２つの側部スライド４０、５０(移動方向により)の夫々１つのロック状態によって、引き戸の戻り移動時に駆動体４がこのロック状態を解除するまで、バネは緊張状態を維持する。従って、引き戸はバネ力によって中間位置にまで自動的に戻り移動する。
【００２８】
示された実施形態において、エネルギ蓄積アセンブリ７０として側部スライド４０、５０を直接接続するのはバネではなく、装置１の中間領域に配置され、各１つの巻き取り装置７２、７４が端部に作用するケーブルを介して協働するバネ７１である。巻き取り装置７２、７４は夫々左右の側部スライド４０、５０のラック歯４４、５４と噛合するギアホィールを備える。更に、各巻き取り装置７２、７４は略螺旋状に構成された巻き取りカーブ７３、７５を備える。この構成において、また側部スライド４０、５０が互いに離れるときは、バネ７１はエネルギ蓄積ユニットとして引き離す。従って、バネ７１は以前に置かれた側部スライド４０、５０に回復力を中間位置の方向に付与する。スライドに直接接続されたバネとは対照的に、巻き取り装置７２、７４により、巻き取りカーブ７３、７５の形状にて、側部スライド４０、５０の距離間の荷重変位接続、及び両スライドに作用する回復力に影響を与えることができる。
【００２９】
図６Ａ乃至図６Ｃは、本発明に従った引き込み装置１の更なる実施形態を示す。同じ符号は上記の実施形態と同じ要素又は同様に作用する要素を示す。
図は中間位置(図６Ａ)、右方の開位置(図６Ｂ)、左方の開位置(図６Ｃ)における引き込み装置を示す。第２の実施形態の引き込み装置１は、図１乃至図５に示す第１の実施形態の引き込み装置から基本的な機能は異ならない。符号は第１の実施形態の各記載について付される。
【００３０】
第１の実施形態とは対照的に、キャリア２０はこの場合、２つの爪２２、２３によって形成される。第１の実施形態にて用いられた中間部分２１はこの実施形態では用いられない。左側の側部スライド４０又は右側の側部スライド５０をキャリア２０の各開位置に固定する制御スライダ４００、５００は、旋回レバーとして構成されることは更なる相違点である。
【００３１】
移動可能な家具部分、特に引き戸を中間位置に自動的に引き込むことは、本発明に従って、示された両実施形態の引き込み装置１にて達成され、１つのエネルギ蓄積アセンブリ７０及び１つの減衰装置６０が用いられる。
両方向への引き戸の動作、又は引き戸の両方向からの戻り動作時に、エネルギ蓄積アセンブリ７０と減衰装置６０の両方は動的となる。記載された実施形態にて２つのシリンダ６２が用いられたとの事実は、装置１の平坦な構成と関連して所望の減衰動作ができる。両シリンダ６２は平行に作動し、原則として、大きな方の１つに置換され得る。減衰装置が一方向にのみ動的であれば、示された４つのシリンダ又は２つの大きな方のシリンダは所望の減衰動作を達成するために用いらなければならない。
【００３２】
本発明に従った引き込み装置１は、引き込み効果及び付随的な減衰効果は両方向で同じであるとの最先端技術に更なる重要な利点を付与する。然るに、以前の公知の別個の引き込み装置を用いた場合は、引き込み及び減衰効果、従って移動可能な家具部分の動作は、例えば製造のバラつきの結果として、方向によって強さが異なるように起こる。
【符号の説明】
【００３３】
１      引き込み装置
２      ドア金具
３      締結プラグ
４      駆動体
１０    ハウジング
１１    直線状の案内路
１２    曲がった案内路
１３    スライド案内路
１４    ハウジングドーム
１５、１６  制御トラック
１７    ウエブ
２０    キャリア
２１    中間部分
２２、２３  爪
３０    中間スライド
３１    案内スロット
３２    輪郭
３３、３４  ロックスロット
３５、３６  連結スロット
３７a、３８a 斜めの底部
３７b、３８b 斜めの上部
４０    左側の側部スライド
４１    輪郭
４２    制御スライダ案内スロット
４３    レシーバ
４４    ラック歯
５０    右側の側部スライド
５１    輪郭
５２    制御スライダ案内スロット
５３    レシーバ
５４    ラック歯
６０    減衰装置
６１    ピストンロッド
６２    シリンダ
７０    エネルギ蓄積アセンブリ
７１    バネ
７２、７４  巻き取り装置
７３、７５  巻き取りカーブ
４００  制御スライダ
４０１  連結ピン
４０２  ガイドピン
５００  制御スライダ
５０１  連結ピン
５０２  ガイドピン
【図１】
2014527438.tif 000003
【図２Ａ】
2014527438.tif 000004
【図２Ｂ】
2014527438.tif 000005
【図３Ａ】
2014527438.tif 000006
【図３Ｂ】
2014527438.tif 000007
【図４】
2014527438.tif 000008
【図５】
2014527438.tif 000009
【図６Ａ】
2014527438.tif 000010
【図６Ｂ】
2014527438.tif 000011
【図６Ｃ】
2014527438.tif 000012
【国際調査報告】
2014527438.tif 000013
2014527438.tif 000014
2014527438.tif 000015
2014527438.tif 000016